(57)【要約】【課題】  多画面表示による使用者の利便性をより向上させた撮像装置を得る。【解決手段】  被写体光を導く撮像光学系と、撮像光学系により導かれた被写体光を光電変換する撮像素子と、表示領域に複数の画像を表示可能な表示手段を有し、撮影記録前の表示手段による被写体像の表示に際し、撮像光学系の焦点調節又は撮影記録時の露光条件の決定の少なくとも一方が行われた後、標準的な設定条件で得られる被写体像と、標準的な設定条件と異なる条件の被写体像を表示手段に表示する撮像装置とする。【選択図】        図１０
2007081630.tif 000002
【特許請求の範囲】
【請求項１】
被写体光を導く撮像光学系と、該撮像光学系により導かれた被写体光を光電変換する撮像素子と、表示領域に複数の画像を表示可能な表示手段と、を有し、
撮影記録前の前記表示手段による被写体像の表示に際し、
前記撮像光学系の焦点調節又は撮影記録時の露光条件の決定の少なくとも一方が行われた後、標準的な設定条件で得られる被写体像と、前記標準的な設定条件と異なる条件の被写体像を前記表示手段に表示することを特徴とする撮像装置。
【請求項２】
前記標準的な設定条件で得られる被写体像と、前記標準的な設定条件と異なる条件の被写体像のいずれかを選択する選択手段を有し、前記選択手段で選択された被写体像を得る条件で撮影記録を行うことを特徴とする請求項１に記載の撮像装置。
【請求項３】
前記表示手段は、リアルタイムで得られる被写体像をプレビュー画像で表示し、その他の前記標準的な設定条件で得られる被写体像と前記標準的な設定条件と異なる条件の被写体像と、を静止画で表示することを特徴とする請求項１又は２に記載の撮像装置。
【請求項４】
前記設定条件が、露光条件であることを特徴とする請求項１〜３のいずれか１項に記載の撮像装置。
【請求項５】
前記設定条件が、ピント判定条件であることを特徴とする請求項１〜３のいずれか１項に記載の撮像装置。
【請求項６】
前記設定条件が、ホワイトバランス、コントラスト、シャープネスの少なくともいずれか１つを含むことを特徴とする請求項１〜３のいずれか１項に記載の撮像装置。
【発明の詳細な説明】
【技術分野】
【０００１】
本発明は、固体撮像素子を有する撮像装置に関し、特に表示領域に複数の画像を表示可能な表示手段を備えた撮像装置に関するものである。
【背景技術】
【０００２】
近年、銀塩フィルムを使用するカメラに換わり、被写体光を光電変換する撮像素子を用い、この撮像素子からの出力に所定の処理を施して画像データとし、この画像データを記録媒体に記憶させる電子カメラが一般的になっている。このような電子カメラでは、背面に配置された表示装置に、撮影前の被写体像を表示したり、記録媒体に記憶させた画像データを読み出して表示することができるようになっている。
【０００３】
このような電子カメラで、記録媒体に記憶してある画像と、撮影前の被写体像を同時に表示装置に表示するようにした電子カメラが知られている（例えば、特許文献１又は２参照）。
【特許文献１】特開平５−２２６４２号公報
【特許文献２】特開平１０−３２７３４号公報
【発明の開示】
【発明が解決しようとする課題】
【０００４】
近年、電子カメラは、カメラ外形は小型薄型化がなされる一方で、背面に配置された表示装置は、使用者の利便性を考慮し、より大型のものが搭載されるようになってきた。表示装置は当初１．５インチ程度のものが一般的であったが、例えば２．５インチ等の、より大きな表示装置が内蔵されるようになり、また表示画素数も増大し、より精細な画像の表示がおこなえるようになってきた。
【０００５】
このように、表示装置が大きく、表示が精細になると、記憶してある画像や撮影時に被写体像を単に表示するだけでなく、多画面表示等により撮影時の表示や操作方法に関し、使用者の利便性を考慮した多彩な利用方法が考えられる。
【０００６】
しかしながら、上記特許文献１及び２の電子カメラは、記録媒体に記憶してある画像と、撮影したい被写体像を表示装置に同時に表示するものであり、大型の表示装置を搭載して有効利用するにはいまだ不充分である。
【０００７】
本発明は上記問題を鑑み、多画面表示による使用者の利便性をより向上させた撮像装置を得ることを目的とするものである。
【課題を解決するための手段】
【０００８】
上記の目的は、以下の構成により解決される。
【０００９】
１）  被写体光を導く撮像光学系と、該撮像光学系により導かれた被写体光を光電変換する撮像素子と、表示領域に複数の画像を表示可能な表示手段と、を有し、撮影記録前の前記表示手段による被写体像の表示に際し、前記撮像光学系の焦点調節又は撮影記録時の露光条件の決定の少なくとも一方が行われた後、標準的な設定条件で得られる被写体像と、前記標準的な設定条件と異なる条件の被写体像を前記表示手段に表示することを特徴とする撮像装置。
【００１０】
２）  前記標準的な設定条件で得られる被写体像と、前記標準的な設定条件と異なる条件の被写体像のいずれかを選択する選択手段を有し、前記選択手段で選択された被写体像を得る条件で撮影記録を行う１）の撮像装置。
【００１１】
３）  前記表示手段は、リアルタイムで得られる被写体像をプレビュー画像で表示し、その他の前記標準的な設定条件で得られる被写体像と前記標準的な設定条件と異なる条件の被写体像と、を静止画で表示する１）又は２）の撮像装置。
【００１２】
４）  前記設定条件が、露光条件である１）〜３）のいずれかの撮像装置。
【００１３】
５）  前記設定条件が、ピント判定条件である１）〜３）のいずれかの撮像装置。
【００１４】
６）  前記設定条件が、ホワイトバランス、コントラスト、シャープネスの少なくともいずれか１つを含む１）〜３）のいずれかの撮像装置。
【発明の効果】
【００１５】
本発明によれば、多画面表示による使用者の利便性をより向上させた撮像装置を得ることが可能となる。
【発明を実施するための最良の形態】
【００１６】
以下、実施の形態により本発明を詳しく説明するが、本発明はこれに限定されるものではない。
【００１７】
図１は、本実施の形態に係る撮像装置の一例であるカメラ１００の外観図である。同図（ａ）はカメラの前面図であり、同図（ｂ）はカメラの後面図である。
【００１８】
同図に示すように、カメラ１００の上側面にはメインスイッチ釦５１とレリーズ釦５２が配置されている。レリーズ釦５２は、その１段の押し込み（以下、スイッチＳ１のＯＮと称す）によりカメラの撮影準備動作が行われ、その２段の押し込み（以下、スイッチＳ２のＯＮと称す）により撮影動作が行われる。
【００１９】
同図（ａ）に示す、６１は前面カバーである。１ｋは屈曲光学系で構成された撮像光学系ユニット（不図示）の被写体光入射開口部である。この被写体光入射開口部１ｋには、バリア部材５３が配置されており、メインスイッチ釦５１の操作に応じて、不図示のアクチュエータによりバリア部材５３は、被写体光入射開口部１ｋの前面を覆う位置と、被写体光入射開口部１ｋを露呈する位置とに移動させられる。被写体光入射開口部１ｋの左側には、フラッシュ反射光受光のためのセンサー窓６３、フラッシュ発光部５４が配置されている。
【００２０】
同図（ｂ）に示す、６２は後面カバーである。５５はズーム釦でありズームアップ、ズームダウンをおこなう釦である。５６はメニュー釦、５７は選択釦で４方向スイッチであり、５８はセット釦である。９０は表示装置であり画像やその他文字情報等を表示する。メニュー釦５６で、表示装置９０上に各種のメニューを表示させ、選択釦５７で選択し、セット釦５８で確定させる機能を有している。５９はメインダイヤルであり、回転させることで、静止画撮影モード、動画撮影モード、再生モード、セットアップモード、プリントモード等が選択できるようになっている。６０は消去釦で、撮影記録した画像の消去をおこなう釦である。
【００２１】
なお、不図示であるが三脚座、ＡＣアダプタの接続端子、外部機器との接続のための接続端子等がカメラ１００の底面に配置され、本カメラの電源を供給する電池の挿脱のための電池蓋、撮影した画像を記録するカード型のリムーバブルメモリカードを挿脱するためのカード蓋等がカメラ１００の側面に配置されている。
【００２２】
図２は、本実施の形態に係るカメラ１００の内部構成の一例を示す概略ブロック図である。なお、本発明は、撮像素子としてＣＣＤ（Ｃｈａｒｇｅ  Ｃｏｕｐｌｅｄ  Ｄｅｖｉｃｅ）型イメージセンサ、ＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）型イメージセンサ等が適用可能であるが、本例においては、撮像素子としてＣＣＤ型イメージセンサを用いたもので説明する。
【００２３】
同図において、４０は各部を制御する制御部（以下、ＣＰＵとも称す）である。撮像レンズ８１は、レンズ部１、絞りシャッターユニット２、赤外光カットフィルタとオプチカルローパスフィルタを積層した光学フィルタ３、第１モータ４、第２モータ５及び絞りシャッタアクチュエータ６で構成されている。
【００２４】
レンズ部１は、より詳しくは複数のレンズを有する撮像光学系であり、複数のレンズの光軸上の位置を第１モータ４を駆動することにより移動させ、変倍がおこなわれるようになっている。また、これら複数のレンズの内、フォーカシングに用いられるレンズは、第２モータ５により駆動され焦点調節がおこなわれる。更に、絞りシャッターユニットは絞りシャッタアクチュエータ６により開閉し、露光量の調定がなされる。この、第１モータ４、第２モータ５、絞りシャッタアクチュエータ６は、それぞれＣＰＵ４０からの制御信号により制御される第１モータ駆動回路７、第２モータ駆動回路８、絞りシャッタ駆動回路９を介して駆動される。
【００２５】
タイミングジェネレータ１０は、タイミング制御回路１１から送られるクロックに基づきＣＣＤ１２の駆動制御信号を生成するものであり、例えばＣＣＤ１２の電荷の蓄積開始と終了のタイミング信号、各画素の電荷蓄積量の読み出し制御信号（水平同期信号、垂直同期信号、転送信号）等のクロック信号を生成しＣＣＤ１２へ出力する。撮像回路１３は、ＣＣＤ１２により被写体光が光電変換され、例えば原色系のフィルタが用いられたＣＣＤの場合、Ｒ（赤）、Ｇ（緑）、Ｂ（青）の各色成分の画像アナログ信号を信号処理部１４へ出力する。
【００２６】
信号処理部１４は、撮像回路１３から出力された画像アナログ信号に信号処理を施すものである。信号処理部１４においては、相関二重サンプリング（ＣＤＳ）、オートゲインコントロール（ＡＧＣ）により画像アナログ信号のノイズ低減とゲイン調整をおこないＡ／Ｄ変換部１５へ出力する。
【００２７】
Ａ／Ｄ変換部１５では、タイミング制御回路１１からのＡ／Ｄ変換用クロックに基づき、入力された画像アナログ信号をＡ／Ｄ変換し、デジタル信号（以下、画素データと称す）に変換する。次いで、画素データをバッファメモリ１６に格納した後、ＣＰＵ４０に画素データを送り、ＣＰＵ４０では画素データの黒レベル補正をおこなった後、ホワイトバランス（ＷＢ）の調整、γ補正、ＹｃｂＣｒ変換が行われる。
【００２８】
ＶＲＡＭ１７は、表示装置９０で表示する画像のバッファメモリであり、少なくとも表示装置９０の画素数と表示に必要なビット数の積算値以上の記憶容量を有しており、後述のＣＰＵ４０で生成される表示用画像データが記憶される。表示装置９０には、例えばＬＣＤ、有機ＥＬ等の表示装置が用いられる。なお、使用される表示装置に応じ、ＶＲＡＭ１７と表示装置９０の間に、画素データをＤ／Ａ変換するＤ／Ａ変換部が設けられる。
【００２９】
これにより、撮影時のフレーミング時には、所定時間間隔で撮像された画素データがバッファメモリ１６に記憶されると共に、ＶＲＡＭ１７へ転送され、表示装置９０に表示がおこなわれ、被写体像を確認することができ、ファインダとして使用できる（スルー画像表示又はプレビュー画像表示と称す）ようになっている。
【００３０】
また、挿脱可能な画像記録媒体であるメモリカード５０に記録された撮影済みの画像データは、圧縮伸張回路４９へ転送され、ＣＰＵ４０で所定の信号処理後にＶＲＡＭ１７へ転送され、表示装置９０に表示がおこなわれ、撮影済み画像の再生が可能となっている。
【００３１】
インターフェイス３２は、外部のパーソナルコンピュータ或いはプリンタ等と信号の授受をおこなうもので、外部入出力端子（例えばＵＳＢ端子）８８を介して、外部のパーソナルコンピュータ或いはプリンタ等と通信を行うものである。
【００３２】
フラッシュ制御回路２１は、フラッシュ発光部５４の発光を制御する回路である。フラッシュ制御回路２１は、ＣＰＵ４０により制御され、フラッシュ発光の有無、発光タイミング、発光用コンデンサへの充電等を制御すると共に、フラッシュ反射光受光用センサ２３に接続された受光回路２４から入力される発光停止信号に基づき発光を停止させるようになっている。
【００３３】
時計回路２５は、撮影された日時を管理するものであり、各部へ電源を供給する給電回路２７から電源供給を受けて作動するようにしてもよいが、図示しない別電源で作動させることが望ましい。
【００３４】
ＣＰＵ４０及び各部への電力供給は給電回路２７によっておこなわれる。この給電回路２７には、電池２６或いは、ＤＣ入力端子２８を介しＡ／Ｃアダプタ２９から電力が供給される。
【００３５】
操作スイッチ群（以下操作ＳＷ群とも称す）３０は、例えばメインスイッチ、レリーズ釦、ズーム釦、メニュー釦、セット釦、選択釦等の各種操作釦によりＯＮ／ＯＦＦするスイッチ群及びメインダイヤルを含むスイッチ群である。この操作ＳＷ群３０のＯＮ／ＯＦＦの信号は、ＣＰＵ４０に送られ、ＣＰＵ４０はＯＮされた操作ＳＷに応じて各部の動作を制御することになる。
【００３６】
ＥＥＰＲＯＭ３１は、不揮発性のメモリであり、カメラの個々に異なる特性値を記憶させておくために用いられる。この個々に異なる特性値とは、例えば撮像レンズ８１の各焦点距離におけるフォーカシングレンズの無限位置の情報等であり、製造工程内で書き込まれるものである。この、カメラ個々に異なる特性値を、ＣＰＵ４０は必要に応じＥＥＰＲＯＭ３１から読み出し、各部の制御に利用するようになっている。
【００３７】
なお、ＣＰＵ４０は、ＲＯＭ２０に格納されたソフトウェアに基づき、データの授受、各部のタイミング制御をおこなうのみならず、その他種々の機能をおこなうものとなっている。例えば、撮影記録時の絞り値とシャッタ速度の露光条件の決定（ＡＥ準備動作）、フォーカシングレンズを小刻みに移動させ、それぞれで得られた画素データから画像データを生成し、この画像データに基づいて評価をおこない最適なフォーカシングレンズ位置を決定する焦点調節（ＡＦ動作）制御等を行うものである。また、以降に述べる本発明の各モードにおける表示用画像データの生成もＣＰＵ４０で処理される。
【００３８】
以上が、本実施の形態に係るカメラ１００の内部ブロック構成である。
【００３９】
図３は、本実施の形態に係るカメラ１００で使用される各モードへの移行動作を示すフローチャートである。以下、同図に示すフローに従い説明する。
【００４０】
同図において、まずメインスイッチがＯＮされる（ステップＳ１０１）と、メインダイヤルがどこにセットされているかを確認する。
【００４１】
まず、メインダイヤルが静止画撮影モードにセットされているかどうか判断する（ステップＳ１０２）。静止画撮影モードにセットされている場合（ステップＳ１０２；Ｙｅｓ）は、静止画撮影モード処理へ移行し（ステップＳ１１２）、このモードの所定の動作を行う。
【００４２】
静止画撮影モードにセットされていない場合（ステップＳ１０２；Ｎｏ）は、動画撮影モードにセットされているかどうか判断する（ステップＳ１０３）。動画撮影モードにセットされている場合（ステップＳ１０３；Ｙｅｓ）は、動画撮影モード処理へ移行し（ステップＳ１１３）、このモードの所定の動作を行う。
【００４３】
図４は、動画撮影モード処理時の表示の例を示す図である。動画撮影モードに入ると、図示の如く、表示装置９０の中央上部にプレビュー画像を表示し、下方には、小画面で過去に撮影されメモリカードに記録された、記録済の動画１、記録済の動画２、記録済の動画３、が表示される。また、選択釦５７により、表示されていない他の動画を表示することができるようになっている。なお、この記録済の動画は、動画表示で繰り返し再生するようにしてもよいし、任意のシーンの静止画のみを表示するようにしてもよい。
【００４４】
図３へ戻り、動画撮影モードにセットされていない場合（ステップＳ１０３；Ｎｏ）は、再生モードにセットされているかどうか判断する（ステップＳ１０４）。再生モードにセットされている場合（ステップＳ１０４；Ｙｅｓ）は、再生モード処理へ移行し（ステップＳ１１４）、このモードの所定の動作を行う。
【００４５】
図５は、再生モード処理時の表示の例を示す図である。再生モードに入ると、同図（ａ）に示すように、表示装置９０に記録済の静止画像を小画面で複数駒（図示では９駒）撮影順に従って表示される。また、同図（ｂ）に示すように、中央上部に大きく画像を表示し、下方には、小画面で複数駒の記録済静止画像を表示するようにしてもよい。また、いずれにおいても、選択釦５７により、表示されていない他の画像を表示することができるようになっているのは勿論である。
【００４６】
図３に戻り、再生モードにセットされていない場合（ステップＳ１０４；Ｎｏ）は、プリントモードにセットされているかどうか判断する（ステップＳ１０５）。プリントモードにセットされている場合（ステップＳ１０５；Ｙｅｓ）は、プリントモード処理に移行し（ステップＳ１１５）、このモードの所定の動作を行う。
【００４７】
図６は、プリントモード処理時の表示の一例を示す図である。プリントモード処理に入ると、同図に示すように、予めプリント予約した撮影済の駒の画像が小画面で複数駒表示される。この個々の画像は、印刷が終了すると順次消去されるようになっている。
【００４８】
図３に戻り、プリントモードにセットされていない場合（ステップＳ１０５；Ｎｏ）は、セットアップモードに移行し（ステップＳ１０６）このモードの所定の動作を行うようになっている。
【００４９】
図７は、セットアップモード処理時の表示の一例を示す図である。セットアップモード処理に入ると、まずセットアップされるべき項目が複数表示され、選択釦５７によりセットアップする項目を選択する。同図は、カラーモードが選択された場合の表示を示している。
【００５０】
同図に示すように、カラーモードが選択された場合には、表示装置９０にプレビュー画像を表示し、カラー、白黒、セピアのいずれかを選択釦５７により選択すると、選択内容に対応して、プレビュー画像も変化するようになっている。
【００５１】
なお、本例では、メインダイヤルで静止画撮影モード、動画撮影モード、再生モード、プリントモード、セットアップモードの４種を設定する例で説明したが、より多種のモードを設定するようなカメラであってもよいし、判断順序もこれに限るものでない。また、メインダイヤルでの設定でなく選択メニューを表示装置に表示させ、これから選択するようなカメラであってもよい。
【００５２】
次に、静止画撮影モード処理について、より詳しく説明する。
【００５３】
図８は、本実施の形態に係るカメラ１００の静止画撮影モード時の動作概略を示すフローチャートである。以下、同図に示すフローに従い説明する。
【００５４】
静止画撮影モードに入ると、撮像素子、撮像回路、信号処理部、Ａ／Ｄ変換部等の撮像部の駆動を開始し（ステップＳ２０１）、画像表示装置でプレビュー表示を行う（ステップＳ２０２）。
【００５５】
図９は、静止画撮影モード時のプレビュー表示の一例を示す図である。同図に示すように、表示装置９０の中央上部にリアルタイムで得られるプレビュー画像を表示し、下方には、小画面で過去に撮影されメモリカードに記録された、記録済の静止画１、記録済の静止画２、記録済の静止画３、が表示される。なお、従来と同様に、画面全体を用いてプレビュー画像を表示してもよい。
【００５６】
図８に戻り、再度メインスイッチのＯＮを判断する（ステップＳ２０３）。メインスイッチがＯＦＦされた場合（ステップＳ２０３；Ｎｏ）には、プレビュー表示を停止させ（ステップＳ２２０）、撮像部の駆動を停止（ステップＳ２２１）させて終了する。
【００５７】
メインスイッチがＯＮの場合（ステップＳ２０３；Ｙｅｓ）には、再度、静止画撮影モードであるか判断する（ステップＳ２０４）。静止画撮影モード以外のモードに切り替えられた場合（ステップＳ２０４；Ｎｏ）には、他の切り替えられたモードへ移行する（ステップＳ２３０）。
【００５８】
静止画撮影モードである場合（ステップＳ２０４；Ｙｅｓ）は、スイッチＳ１がＯＮされているか判断する（ステップＳ２０５）。スイッチＳ１がＯＮされていない場合（ステップＳ２０５；Ｎｏ）は、ステップＳ２０３へ戻る。即ち、スイッチＳ１がＯＮされるまで、プレビュー表示をおこないつつ、メインスイッチ、モードを選択するメインダイヤル、スイッチＳ１の操作がなされるのを待機する。
【００５９】
スイッチＳ１がＯＮされる（ステップＳ２０５；Ｙｅｓ）と、撮影準備動作（ステップＳ２０６）を行う。
【００６０】
図１０は、ステップＳ２０６の撮影準備動作の一例を示すフローチャートである。同図に示すフロー従い、撮影準備動作を説明する。
【００６１】
ステップＳ２０６の撮影準備動作に入ると、ＡＦ動作とＡＥ準備動作を行う（ステップＳ３０１）。ＡＦ動作は、例えば、フォーカシングレンズを小刻みに移動させつつ画像を取り込み、得られた画像を評価し最もピントが合っていると評価された画像の得られた位置にフォーカシングレンズを移動し停止させるものである。
【００６２】
ＡＥ準備動作は、絞り値と撮像素子の蓄積時間との組み合わせにより得られた撮像素子のゲインから、標準的な撮像素子出力の画像が得られる絞り値とシャッタ速度及び撮像素子感度の組み合わせを、本撮影に備えて予め決めておくものであり、例えば、被写体平均輝度が撮像素子出力範囲の中央値となるような絞り値とシャッタ速度及び撮像素子感度の組み合わせを決めておくものである。
【００６３】
次いで、ＡＥ準備動作で得られた標準的な設定条件で得られる被写体像と、標準的な設定条件と異なる条件の被写体像を表示装置に表示する（ステップＳ３０２）。
【００６４】
図１１は、ステップＳ３０２において、表示装置に表示される画像を示す図である。
【００６５】
この時に表示される画像は、図示の如く、表示装置９０の中央上部にリアルタイムで得られるプレビュー画像が表示される。
【００６６】
更に、下方の中央には小画面でプレビュー中の画像から選択された、ＡＥ準備動作で得られた標準的な露光条件で得られる静止画が表示され、下方の左には小画面で中央と同じ静止画を、標準的な露光条件より１ＥＶオーバーで撮影した場合に得られる画像が表示され、下方の右には小画面で中央と同じ静止画を、標準的な露光条件より１ＥＶアンダーで撮影した場合に得られる画像が表示される。
【００６７】
即ち、リアルタイムで得られるプレビュー画像を動画で表示し、標準的な露光条件で得られる被写体像と、標準的な露光条件と異なる条件の被写体像とを静止画で表示装置に表示するということである。なお、異なる条件の被写体像は、シャッタ速度を変更して取り込んだ画像でもよいし、標準的な露光条件で得られる被写体像を加工して作成し表示してもよい。
【００６８】
図１０に戻り、次いで、使用者に上記の小画面で表示されている３種類の露光条件の画像から、いずれの露光条件の画像で撮影を行うかを選択させる（ステップＳ３０３）。
【００６９】
この選択は、例えば選択釦５７で画像を選択させ、セット釦５８で決定するようにしてもよいし、表示装置９０の表面をタッチパネルで構成し、画像を指で指定するようにしてもよい。なお、選択された画像の画枠の色を変更したり、画枠の線を太くする等でどれが選択されたかを表示することが好ましい（図１１参照）。この選択が、なされない場合には、標準的な露光条件で得られる被写体像が選択されたと見なすように構成されていることが好ましい。
【００７０】
ステップＳ３０３で選択が終了することにより、本撮影時の露光条件が決定される（ステップＳ３０４）。これで、撮影準備動作が終了し、図８に示すステップＳ２０８へ移行する。
【００７１】
図８に戻り、この後、スイッチＳ２がＯＮされるのを待機する（ステップＳ２０８）。スイッチＳ２がＯＮされた場合（ステップＳ２０８；Ｙｅｓ）には、上記撮影準備動作時に決定された露光条件で撮影動作が実行され（ステップＳ２１０）、メモリーカードに撮影した画像データを記録（ステップＳ２１１）し、撮影した画像を画像表示部に所定時間アフタービュー表示（ステップＳ２１２）した後、ステップＳ２０２のプレビュー表示に戻る。以上で、１駒の撮影が終了する。
【００７２】
なお、アフタービュー表示では、図９に示す記録済静止画１の位置に表示してもよいし、中央上部のプレビュー画像を表示する位置を用いて所定時間だけ表示するようにしてもよい。
【００７３】
図１２は、ステップＳ２０６の撮影準備動作のその他の例を示すフローチャートである。同図に示すフローは、撮影時のピント位置を異ならせた画像を表示するものである。
【００７４】
同図に示すフローにおいて、ステップＳ２０６の撮影準備動作に入ると、ＡＦ動作とＡＥ準備動作を行う（ステップＳ４０１）。ＡＦ動作は、例えば、フォーカシングレンズを小刻みに移動させつつ画像を取り込み、得られた画像を評価し、高周波成分が最も多く含まれる画像を最もピントが合っていると判定し、この画像の得られた位置にフォーカシングレンズを移動し停止させるものである。この時、その他の取り込んだ複数の画像については、フォーカシングレンズ位置とその位置で取り込んだ画像を対応可能にして一時的に記憶する。
【００７５】
ＡＥ準備動作は、絞り値と撮像素子の蓄積時間との組み合わせにより得られた撮像素子のゲインから、標準的な撮像素子出力の画像が得られる絞り値とシャッタ速度及び撮像素子感度の組み合わせを、本撮影に備えて予め決めておくものである。
【００７６】
次いで、ＡＦ動作で得られた標準的な設定条件である、最もピントが合っていると判定された画像と、その画像よりも近距離側にピントが合った画像とその画像よりも遠距離側にピントが合った画像を表示装置に表示する（ステップＳ４０２）。
【００７７】
図１３は、ステップＳ４０２において、表示装置に表示される画像を示す図である。
【００７８】
この時に表示される画像は、図示の如く、表示装置９０の中央上部にリアルタイムで得られるプレビュー画像が表示される。
【００７９】
更に、下方の中央には小画面で、ＡＦ動作で得られた標準的な設定条件である高周波成分が最も多く含まれた画像の静止画が表示され、下方の左には小画面で、その画像よりも近距離側にピントが合った前ピンの静止画が表示され、下方の右には小画面で、その画像よりも遠距離側にピントが合った後ピンの静止画が表示される。
【００８０】
即ち、リアルタイムで得られるプレビュー画像を動画で表示し、標準的なＡＦ判定条件で得られる被写体像と、標準的なＡＦ判定条件と異なる条件である前ピンと後ピンの被写体像とを静止画で表示装置に表示するということである。なお、下方の３つの被写体像は、ステップＳ４０２で一時的に記憶した複数の画像から選択して用いられる。
【００８１】
図１２に戻り、次いで、使用者に上記の小画面で表示されている３種類の画像から、いずれのピントの画像で撮影を行うかを選択させる（ステップＳ４０３）。
【００８２】
この選択は、例えば選択釦５７で画像を選択させ、セット釦５８で決定するようにしてもよいし、表示装置９０の表面をタッチパネルで構成し、画像を指で指定するようにしてもよい。なお、選択された画像の画枠の色を変更したり、画枠の線を太くする等でどれが選択されたかを表示することが好ましい（図１３参照）。この選択が、なされない場合には、標準的なＡＦ判定条件で得られる被写体像が選択されたと見なすように構成されていることが好ましい。
【００８３】
ステップＳ４０３での選択が終了することにより、本撮影時のピント条件が決定され、選択されたピント位置の画像が得られるフォーカシングレンズ位置へフォーカシングレンズを移動させ停止させる（ステップＳ４０４）。これで、撮影準備動作が終了し、図８に示すステップＳ２０８へ移行する。以降は上記と同様である。
【００８４】
また、標準的な設定条件で得られる被写体像と、この標準的な設定条件と異なる条件の被写体像の表示としては、ホワイトバランス、コントラスト、シャープネスの変更等も可能である。
【００８５】
即ち、撮影準備動作において、ＡＦ動作、ＡＥ準備動作の後、表示装置の中央上部にリアルタイムで得られるプレビュー画像を表示し、下方の中央には小画面で、標準的な設定条件であるホワイトバランスの静止画を表示し、下方の左右には小画面で、それぞれ異なるホワイトバランスの静止画を表示し、使用者に所望の画像を選択させて、本撮影時のホワイトバランス条件を決定するような構成も可能である。
【００８６】
この場合の標準的な設定のホワイトバランスの画像は、例えば、所謂オートホワイトバランス処理により得られた画像が用いられ、標準的な設定条件と異なる条件とは、例えば白熱灯、蛍光灯等の光源下で良好となるホワイトバランスの画像が用いられる。
【００８７】
また、撮影準備動作において、ＡＦ動作、ＡＥ準備動作の後、表示装置の中央上部にリアルタイムで得られるプレビュー画像を表示し、下方の中央には小画面で、標準的な設定条件のコントラスト再現もしくは標準的な設定条件のシャープネスの静止画を表示し、下方の左右には小画面で、標準的な設定に対し、それぞれ強めと弱めのコントラスト再現の静止画や、強めと弱めのシャープネスの静止画を表示し、使用者に所望の画像を選択させて、本撮影時の画像コントラストやシャープネスを決定するような構成も可能である。
【００８８】
この場合の標準的なコントラスト再現や標準的なシャープネスの画像は、撮像素子出力に所定の処理を行った画像が用いられる。
【００８９】
以上説明したように、表示手段に、標準的な設定条件で得られる被写体像と、標準的な設定条件と異なる条件の被写体像を表示し、標準的な設定条件で得られる被写体像と、標準的な設定条件と異なる条件の被写体像のいずれかを選択するよう構成することで、設定条件の変更を数値だけでなく、撮影後の結果に近い状態を予め見ながら選択することが可能となり、使用者の利便性をより向上させた撮像装置とすることができる。
【００９０】
なお、本実施の形態で説明した、撮影準備動作後の、露光条件、ピント位置、ホワイトバランス条件、コントラスト再現、シャープネスのいずれの表示及び選択を行うかは、予めセットアップモードで選択指定するよう構成してもよいし、静止画記録モード処理に入った際に、いずれかを選択するための選択画面を表示して選択指定するようにしてもよい。
【００９１】
また、上記の実施の形態では、各モードにおける表示用画像データの生成がＣＰＵ４０で行われ、生成された画像データはＶＲＡＭ１７へ転送されて表示装置９０で表示を行うもので説明したが、これに限るものでなく、各モードにおける表示用画像データの生成を行う表示画像生成用の回路を設け、ＣＰＵ４０からの指示により同様の処理を行うよう構成してもよい。
【００９２】
また、上記の実施の形態における表示例として、中央上部にリアルタイムで得られるプレビュー画像を表示し、下方を横方向に３分割して小画面で３つの静止画像を表示した例で説明したが、これに限るものでなく、画面左側にリアルタイムで得られるプレビュー画像を表示し、画面右側を縦方向に３分割して小画面で３つの静止画像を表示するように構成してもよい。
【図面の簡単な説明】
【００９３】
【図１】本実施の形態に係る撮像装置の一例であるカメラの外観図である。
【図２】本実施の形態に係るカメラの内部構成の一例を示す概略ブロック図である。
【図３】本実施の形態に係るカメラで使用される各モードへの移行動作を示すフローチャートである。
【図４】動画撮影モード処理時の表示の例を示す図である。
【図５】再生モード処理時の表示の例を示す図である。
【図６】プリントモード処理時の表示の一例を示す図である。
【図７】セットアップモード処理時の表示の一例を示す図である。
【図８】本実施の形態に係るカメラの静止画撮影モード時の動作概略を示すフローチャートである。
【図９】静止画撮影モード時のライブビュー表示の一例を示す図である。
【図１０】ステップＳ２０６の撮影準備動作の一例を示すフローチャートである。
【図１１】ステップＳ３０２において、表示装置に表示される画像を示す図である。
【図１２】ステップＳ２０６の撮影準備動作のその他の例を示すフローチャートである。
【図１３】ステップＳ４０２において、表示装置に表示される画像を示す図である。
【符号の説明】
【００９４】
５１  メインスイッチ釦
５２  レリーズ釦
５３  バリア部材
５４  フラッシュ発光部
５５  ズーム釦
５６  メニュー釦
５７  選択釦
５８  セット釦
５９  メインダイヤル
６０  消去釦
６１  前面カバー
６２  後面カバー
６３  センサー窓
９０  表示装置
１００  カメラ
【図１】
2007081630.tif 000003
【図２】
2007081630.tif 000004
【図３】
2007081630.tif 000005
【図４】
2007081630.tif 000006
【図５】
2007081630.tif 000007
【図６】
2007081630.tif 000008
【図７】
2007081630.tif 000009
【図８】
2007081630.tif 000010
【図９】
2007081630.tif 000011
【図１０】
2007081630.tif 000012
【図１１】
2007081630.tif 000013
【図１２】
2007081630.tif 000014
【図１３】
2007081630.tif 000015